(57)【要約】【課題】便溜め用の空間に通じる開孔の幅が変化し難い使い捨てのおむつ。【解決手段】使い捨てのおむつ１が、おむつ着用者の肌に当接する内面シート２２に便溜め用の空間４６に通じる透孔２６を有する。内面シート２２には、透孔２６の側縁３１に沿って前後方向Ｙへ延びる弾性域４０が形成される。おむつ１の股下域６において、内面２２には、おむつ１の縁３と透孔２６の側縁３１との間に、内面シート２２の横方向Ｘへの変形を抑える剛性化帯片５１が取り付けられる。【選択図】図１
2006042924.tif 000002
【特許請求の範囲】
【請求項１】
股下域と、前記股下域の前方に形成された前胴周り域と、前記股下域の後方に形成された後胴周り域とによって身体被覆域が形成され、前記身体被覆域の内面を形成しておむつ着用者の肌に当接する第１シートと、前記身体被覆域の外面を形成して前記着用者の着衣に当接する第２シートと、これら第１、第２シート間に位置する体液吸収部とを有し、前記股下域の幅方向中央部において前記第１シートが前記第１シートの厚さ方向において前記第２シートと前記体液吸収部とから離間して便溜め用空間を形成可能であり、前記第１シートには、前記股下域の幅を二等分する中心線上に前記前胴周り域と前記後胴周り域とに向かって前後に延びて前記空間に通じる透孔が形成されるとともに、前記中心線を挟んで互いに平行する前記透孔の両側縁に沿って前記前後に延びる部分と前記部分の前後両端部それぞれから前記前後胴周り域それぞれに向かって前記中心線から離間するように延びる部分とからなる弾性部材が伸長状態で取り付けられている使い捨てのおむつであって、
前記股下域における前記第１シートには、前記股下域において前後方向へ延びる前記おむつの側縁と前記透孔の側縁との間に、部分的に前記第１シートのおむつ幅方向への曲げ剛性を高めて前記第１シートの前記幅方向への変形を抑制する手段が形成されていることを特徴とする前記使い捨てのおむつ。
【請求項２】
前記抑制する手段が前記前後方向に間欠的に形成されている請求項１記載の使い捨てのおむつ。
【請求項３】
前記抑制する手段が、前記第１シートに前記第１シートとは別体のシート片を接合することにより形成されている請求項１または２記載の使い捨てのおむつ。
【請求項４】
前記抑制する手段が、前記第１シートにホットメルト接着剤を塗布することにより形成されている請求項１または２記載の使い捨てのおむつ。
【請求項５】
前記第１シートが熱可塑性合成繊維で形成された不織布であり、前記抑制する手段が前記不織布を部分的に溶融固化させてなるフィルム状の部分である請求項１または２記載の使い捨てのおむつ。
【請求項６】
前記抑制する手段が、前記前後に向かって規則的な起伏を繰り返すひだである請求項１または２記載の使い捨てのおむつ。
【発明の詳細な説明】
【技術分野】
【０００１】
この発明は、便溜め用の空間を有する使い捨てのおむつに関する。
【背景技術】
【０００２】
便溜めを有する使い捨てのおむつとして、おむつ着用者の肌に当接する第１シートの股下域に透孔が形成され、この第１シートとおむつ着用者の着衣に当接する第２シートとの間にその透孔に通じていて便溜めとして機能する空間が形成され、その透孔をおむつ着用者の肛門に一致させて着用するものは公知である。
【０００３】
例えば、米国特許第４，９９０，１４７号（特許文献１）には、液不透過性のバックシートと、液透過性のライナーと、これら両者間に介在する体液吸収性コアとを有する使い捨てのおむつが開示されている。ライナーには、便が通過してコアにまで達することが可能な透孔が形成されており、便でおむつ着用者の肌を汚すことがない。ライナーは、少なくとも一部分が弾性パネルで形成されており、透孔の周縁部を肛門の周囲に密着させることができる。このおむつの弾性パネルには、ポリウレタン弾性糸からなる不織布や、非弾性糸からなるニット織物を使用することができる。
【０００４】
また、ＷＯ  ０３／００９７９５  Ａ１（特許文献２）には、図８に伸長状態で示されており、図９に収縮状態で示されている使い捨ておむつであって、バックシート１２６と便が通過可能なスリット状開孔１３０を形成されたトップシート１２４との間に便溜めとして機能する空間１７５を有する使い捨ておむつが開示されている。スリット状開孔１３０の両側縁部それぞれでは、トップシート１２４に弾性帯片が伸長状態で接合されることによって、中心線Ｘに平行して前後方向へ延びる弾性域１３１，１３２が形成されている。弾性域１３１は前胴周り域１３６へ向かって中心線Ｘから離間するように斜めに延びる弾性域１４３と後胴周り域１３８へ向かって中心線Ｘから離間するように斜めに延びる弾性域１４５とにつながり、弾性域１３２は前胴周り域１３６に向かって中心線Ｘから離間するように斜めに延びる弾性域１４４と後胴周り域１３８に向かって中心線Ｘから離間するように斜めに延びる弾性域１４６とにつながっている。中心線Ｘを挟んで向かい合うこれら弾性域１３１，１４３，１４５と弾性域１３２，１４４，１４６とは全体としてほぼＸ字形を画いている。このおむつを着用するときには、スリット状開孔１３０を肛門に一致させる。
【特許文献１】米国特許第４，９９０，１４７号
【特許文献２】ＷＯ  ０３／００９７９５  Ａ１
【発明の開示】
【発明が解決しようとする課題】
【０００５】
特許文献１におけるおむつのライナーや特許文献２におけるおむつのトップシートには、弾性シートを使用することができる。弾性シートの一つとして、ポリウレタン弾性糸等の弾性糸からなる不織布を使用することができるのであるが、この不織布は肌に対してゴムライクな感触を与えるので母親に嫌われることが多い。また、弾性シートの他の一つとして、非弾性糸からなるニット織物があるが、この織物は使い捨ておむつに使うにはコストが高すぎる。一方、特許文献２によれば、非弾性糸からなる不織布に弾性帯片を取り付けることによって、その不織布を部分的に弾性化し得る。そのようにして部分的に弾性化した不織布からなる図８のトップシートは、非弾性糸を使用すれば、ゴムライクな感触を与えることはないが、弾性帯片が収縮して図９の状態になると、スリット状開孔の幅Ｗが変化するとともに、股下域において不規則かつ大きなしわ１５０が多数発生する。そのようにスリット状開孔の幅Ｗが変化するということは、おむつを着用するときに肛門の両側においてスリット状開孔の縁の位置が定まり難いということであり、この開孔の幅Ｗを極力狭くして、おむつ着用者の肌を肛門近傍においてトップシートで覆い、肌を広い範囲にわたって汚すことがないように保護しようとするうえにおいて好ましいことではない。また、多数のしわが発生するということは、トップシートの肌に対する密着性が悪くなってスリット状開孔の縁部から排泄物が漏れ易くなったり、着用したおむつの外観が悪くなったりするということでもある。この発明は、そうした諸問題を解消し得るように、従来技術の使い捨てのおむつに改良を施すことを課題にしている。
【課題を解決するための手段】
【０００６】
前記課題を解決するために、請求項１に係る発明が対象とするのは、股下域と、前記股下域の前方に形成された前胴周り域と、前記股下域の後方に形成された後胴周り域とによって身体被覆域が形成され、前記身体被覆域の内面を形成しておむつ着用者の肌に当接する第１シートと、前記身体被覆域の外面を形成して前記着用者の着衣に当接する第２シートと、これら第１、第２シート間に位置する体液吸収部とを有し、前記股下域の幅方向中央部において前記第１シートが前記第１シートの厚さ方向において前記第２シートと前記体液吸収部とから離間して便溜め用空間を形成可能であり、前記第１シートには、前記股下域の幅を二等分する中心線上に前記前胴周り域と前記後胴周り域とに向かって前後に延びて前記空間に通じる透孔が形成されるとともに、前記中心線を挟んで互いに平行する前記透孔の両側縁に沿って前記前後に延びる部分と前記部分の前後両端部それぞれから前記前後胴周り域それぞれに向かって前記中心線から離間するように延びる部分とからなる弾性部材が伸長状態で取り付けられている使い捨てのおむつである。
【０００７】
かかる使い捨てのおむつにおいて、この発明が特徴とするところは、前記股下域における前記第１シートには、前記股下域において前後方向へ延びる前記おむつの側縁と前記透孔の側縁との間に、部分的に前記第１シートのおむつ幅方向への曲げ剛性を高めて前記第１シートの前記幅方向への変形を抑制する手段が形成されている、ことにある。
【０００８】
この発明の好ましい実施態様の一つにおいては、前記抑制する手段が前記前後方向に間欠的に形成されている。
【０００９】
好ましい実施態様の他の一つにおいては、前記抑制する手段が、前記第１シートに前記第１シートとは別体のシート片を接合することにより形成されている。
【００１０】
好ましい実施態様のさらに他の一つにおいては、前記抑制する手段が、前記第１シートにホットメルト接着剤を塗布することにより形成されている。
【００１１】
好ましい実施態様のさらにまた他の一つにおいては、前記第１シートが熱可塑性合成繊維で形成された不織布であり、前記抑制する手段が、前記不織布を部分的に溶融固化させてなるフィルム状の部分である。
【発明の効果】
【００１２】
請求項１に係る発明では、第１シートの股下域に、部分的に第１シートのおむつ幅方向への曲げ剛性を高めて、第１シートのおむつの幅方向への変形を抑制する手段が形成されているから、第１シートの股下域に形成された透孔の両側縁部それぞれでおむつの中心線に沿って延びるとともに、前後胴周り域それぞれに向かって中心線から離間するように斜めに延びる伸長状態の弾性部材が収縮しても、股下域における第１シートはおむつの幅方向へ動くことが少なく、透孔における両側縁部間の幅は大きく変化することがない。
【００１３】
請求項２乃至５の態様の発明によれば、第１シートの変形を抑制する手段として、第１シートに対してこれとは別体のシート片がおむつの前後方向へ間欠的に接合すること、第１シートに対しておむつの幅方向へ延びるホットメルト接着剤の塗布域をおむつの前後方向へ間欠的に形成すること、第１シートに対しておむつの前後方向へ規則的な起伏を繰り返す複数のひだを形成することが挙げられる。
【発明を実施するための最良の形態】
【００１４】
添付の図面を参照して、この発明に係る使い捨てのおむつの詳細を説明すると、以下のとおりである。
【００１５】
図１は使い捨てのおむつ１の部分破断平面図であって、おむつ１は、図の縦方向であるおむつ１の前後方向Ｙと、おむつ１の横方向Ｘとに伸長された状態にあって、前後方向Ｙの中央部に股下域６を有し、股下域６の前方と後方とには前胴周り域７と後胴周り域８とを有する。おむつ１はまた、図において矩形をなすボディー部２を有し、前胴周り域７にはボディー部２の側縁３のそれぞれから外側へ延びるフロントウイング１１が形成され、後胴周り域８には側縁３のそれぞれから外側へ伸びるリアウイング１２が形成されている。リアウイング１２には、ファスニングテープ１３が取り付けられており、そのファスニングテープ１３の内面には粘着域１４が形成されている。
【００１６】
ボディー部２は、その四周がおむつ１の前後方向Ｙへ延びる両側縁３と、これらに直交しておむつ１の幅方向である図の横方向Ｘへ延びる前端縁１６と後端縁１７とからなり、おむつ着用者の肌に当接する内面シート２２と、おむつ着用者の着衣に当接する外面シート２３とを有する。内面シート２２には、おむつ１の幅を二等分する中心線Ｃ−Ｃ上に前後方向へ長い透孔２６が形成されており、その透孔２６の内側には両シート２２，２３間に介在する体液吸収部２４がのぞいている。透孔２６の周縁は、中心線Ｃ−Ｃにほぼ平行して前後方向Ｙへ延びる一対の側縁３１と、ほぼＶ字形と逆Ｖ字形とを画いている前縁３２と後縁３３とによって形成されている。内面シート２２の肌当接面２７には、前端縁１６と後端縁１７とに沿って、横方向Ｘへ延びるフロント帯片２８とリア帯片２９とが接合されている。内面シート２２はまた弾性域４０を有し、その弾性域４０は透孔２６の側縁３１において中心線Ｃ−Ｃに沿ってほぼ直状に延びる中央部分３６と、中心線Ｃ−Ｃから離間するように透孔２６の前縁３２近傍からフロント帯片２８に向かって延びる前方部分３７と、中心線Ｃ−Ｃから離間するように透孔２６の後縁３３からリア帯片２９に向かって延びる後方部分３８とからなる。
【００１７】
図２は、おむつ１の前後方向Ｙの寸法を二等分する中心線Ｄ−Ｄ上に位置するＩＩ−ＩＩ線に沿う切断面を示す図である。内面シート２２と外面シート２３とは、側縁３と前後端縁１６，１７（図１参照）とに沿って重なり合い、接着または溶着により互いに接合されている。また、これらシート２２，２３が重なり合う部分では、シート２２，２３の少なくとも一方にホットメルト接着剤（図示せず）で接合された脚周り弾性部材４１が前後方向Ｙへ伸長状態で延びている。内面シート２２と外面シート２３との間に介在する体液吸収部２４は、粉砕パルプ、粉砕パルプと高吸水性ポリマー粒子との混合物、粉砕パルプと高吸水性ポリマー繊維との混合部等からなる芯材４２をティッシュペーパおよび／または不織布からなるシート４３で被覆してなるもので、外面シート２３に対してホットメルト接着剤４５を介して接合されている（図２参照）。内面シート２２は、側縁３と前後端縁１６，１７とにおいて外面シート２３に接合されている部分を除くと、外面シート２３と体液吸収部２４とに対して接合されておらず、外面シート２３との間に便溜めとして機能する空間４６を形成している。内面シート２２に形成された透孔２６は、空間４６に通じており、便や尿の排泄物を空間４６へ案内することができる。透孔２６の側縁３１の近傍では、内面シート２２の非肌当接面４７に弾性帯片４８がホットメルト接着剤（図示せず）を介して伸長状態で取り付けられることによって、弾性域４０が形成されている。非肌当接面４７にはまた、弾性域４０と側縁３との間において横方向Ｘへ延びる剛性化シート片５１（図１参照）が接着または溶着によって取り付けられている。剛性化シート片５１は、内面シート２２の剛性が部分的に高くなるように作用して、弾性域４０が前後方向Ｙにおいて伸長したり収縮したりするときに内面シート２２にしわが生じることを抑え、その結果として、しわによって股下域６におけるおむつ１の側縁３と透孔２６の側縁３１との間の内面シート２２の幅が矢印Ｐ方向へ小さくなることを防ぐことができる。つまり、透孔２６の側縁３１と３１との間の幅Ｗは、弾性域４０が伸長したり収縮したりしても大きく変化することがなく、おむつ１の着用前後において、常にほぼ一定の値を維持することができる。かような側縁３１は、おむつ１を着用したときに確実に肛門の近傍に位置させておくことができる。剛性化シート片５１はまた、股下域６の前後方向Ｙにおいて、内面シート２２に間欠的に取り付けられているものであって、弾性域４０が前後方向Ｙへ収縮することの妨げにはならず、また弾性域４０が収縮したときには、隣り合う剛性化シート片５１どうしの間で横方向Ｘに長くて前後方向Ｙで起伏を繰り返す比較的形状の揃ったひだを内面シート２２に形成させるのに役立つ。かようなおむつ１は、それを着用したときに、股下域６に形状がきれいに整ったひだを有する、外観のよいものになる。
【００１８】
かかる構成のおむつ１において、内面シート２２は、透液性かつ非伸縮性の不織布、織布、開孔プラスチックフィルム等のシートで形成される。外面シート２３は、不透液性、より好ましくは不透液性かつ通気性の織布、不織布、開孔プラスチックフィルム等のシートで形成される。弾性帯片４８には、天然ゴムや合成ゴムの帯片であって、２〜２０ｍｍの幅を有するものが使用される。フロント帯片２８とリア帯片２９とは、伸長状態にある弾性帯片４８の影響で前後胴周り域７，８が横方向Ｘへ縮むことを防ぐために必要に応じて使用されるもので、坪量３０〜４００ｇ／ｍ２の不織布、柔軟にして弾性を有する発泡プラスチックシート等によって形成される。内面シート２２における透孔２６の寸法は、おむつの大きさにもよるが、幅Ｗが１０〜７０ｍｍであって、長さがおむつ着用者の肛門から尿道口にまで延びていることが好ましい。
【００１９】
図３は、図２のＩＩＩ−ＩＩＩ線に沿って切断された内面シート２２の端面を示す図である。内面シート２２の非肌当接面４７に取り付けられた帯状の剛性化シート片５１は、おむつ１の横方向Ｘにおける寸法が側縁３から弾性帯片４８までの距離よりも小さく（図１参照）、前後方向Ｙに２〜２０ｍｍの寸法を有する織布、不織布、プラスチックフィルム、柔軟にして弾性を有する発泡プラスチックシート等のシート片で作ることができる。隣り合う剛性化シート片５１の前後方向Ｙにおける間隔は２〜５０ｍｍであることが好ましい。
【００２０】
図４，５，６、７は、この発明の実施態様の一例を示す図３と同様な図である。図４では、図３の剛性化シート片５１に代えて、内面シート２２に横方向Ｘへ帯状に塗布されたホットメルト接着剤６０が使用されている。帯状のホットメルト接着剤６０は前後方向Ｙに間欠的に並んでいる。図５では、剛性化シート片５１に代えて、熱可塑性合成繊維からなる不織布で形成された内面シート２２を部分的に溶融固化することによってフィルム状になった部分６１が前後方向Ｙに間欠的に形成されている。フィルム状になった部分６１は、剛性化シート片５１と同じようにおむつ１の横方向Ｘへ延びており、部分６１と６１との間にフィルム化されずに残っている不織布の部分よりも高い剛性を有している。図６では、内面シート２２に前後方向Ｙで規則的な起伏を繰り返す複数のひだ６２が形成されている。かようなひだ６２の山の部分や谷の部分は、剛性化帯片５１やフィルム化された部分６１と同じように作用する。図７では、ひだ６２を形成している内面シート２２が折り重ねられて、内面シート２２どうしが重なり合う部分６６において、接着または溶着により接合されている。
【産業上の利用可能性】
【００２１】
この発明によれば、おむつの内面シートに取り付けた弾性部材が伸長、収縮しても開孔の幅が変化し難い便溜め用の空間を有する使い捨てのおむつの製造が可能になる。
【図面の簡単な説明】
【００２２】
【図１】伸長状態にある使い捨てのおむつの部分破断平面図。
【図２】図１のＩＩ−ＩＩ線切断面を示す図。
【図３】図１のＩＩＩ−ＩＩＩ線に沿う内面シートの端面を示す図。
【図４】実施態様の一例を示す図３と同様な図。
【図５】実施態様の他の一例を示す図３と同様な図。
【図６】実施態様の他の一例を示す図３と同様な図。
【図７】実施態様の他の一例を示す図３と同様な図。
【図８】伸長状態にある従来技術のおむつの部分破断平面図。
【図９】収縮状態にある図８のおむつの斜視図。
【符号の説明】
【００２３】
１    使い捨てのおむつ
３    おむつの側縁
２２    第１シート（内面シート）
２３    第２シート（外面シート）
２４    体液吸収部
２６    透孔
３１    透孔の側縁
４６    空間
４８    弾性部材（弾性帯片）
５１    剛性化手段（剛性化シート片）
６０    剛性化手段（ホットメルト接着剤）
６１    剛性化手段（フィルム状の部分）
６２    剛性化手段（ひだ）
Ｘ    幅方向（横方向）
Ｙ    前後方向
【図１】
2006042924.tif 000003
【図２】
2006042924.tif 000004
【図３】
2006042924.tif 000005
【図４】
2006042924.tif 000006
【図５】
2006042924.tif 000007
【図６】
2006042924.tif 000008
【図７】
2006042924.tif 000009
【図８】
2006042924.tif 000010
【図９】
2006042924.tif 000011